(57)【特許請求の範囲】
【請求項１】
産業車両又は建設車両の一対の車体フレームに懸架して固定するための懸架プレートと、該懸架プレートに取り外し可能に立設固定される立設プレートとを有し、
前記懸架プレートは、電気配線を載置するために帯状に延びる載置上面と、該載置上面の両端に設けられて産業車両又は建設車両の車体フレームに螺子留めするための固定端部と、前記載置上面と反対側の下面に設けられて油圧配管を支持する支持具を取り付けるための支持具取付部と、前記載置上面の幅方向の少なくとも一方の長手方向縁部に沿って起立状に延び載置上面に載置される電気配線の長手方向側面部をガイドするガイドプレート部と、を備え、
前記立設プレートは、電装品を固定するための電装品固定面と、該電装品固定面と連接され前記載置上面を幅方向に跨ぐようにして延びて前記懸架プレートに固定される複数の足片と、を備えることを特徴とする、産業車両又は建設車両の電装品、電気配線及び油圧配管の固定具。
【請求項２】
前記ガイドプレート部に雄螺子部が外向きに突設され、前記複数の足片の少なくとも何れかの足片の下端部に前記雄螺子部に係合可能な係合凹部が形成されていることを特徴とする請求項１に記載の固定具。
【請求項３】
前記電装品固定面は、前記載置上面に載置される電気配線を、前記載置面の幅方向の少なくとも一方側に沿ってガイドするガイド面を更に有することを特徴とする請求項１または２に記載の固定具。
【発明の詳細な説明】
【技術分野】
【０００１】
本発明は、産業車両又は建設車両の電装品、電気配線及び油圧配管の固定具に関する。
【背景技術】
【０００２】
従来、フォークリフト等の産業車両やショベルカー等の建設車両において、油圧配管の固定装置や電気配線の固定装置が種々知られている（例えば、特許文献１〜５）が、電装品、油圧機器、及びエンジン部品等の車両構成部品のレイアウトの関係上、電気配線と油圧配管を車両の左右に渡す場合等があり、そのような場合に、電気配線と油圧配管とが其々独立して配索されているとそれらの取り付け作業が煩雑となり、また、電装品や電気配線と油圧配管とが近接して張り巡らされると、その配置関係によっては例えば油圧配管から漏れた油が電気配線に付着することで火災の原因となる恐れがある。
【先行技術文献】
【特許文献】
【０００３】
【特許文献１】特開２０００−０２６０８６号公報（油圧配管固定装置）
【特許文献２】特開平１１−１３９７９０号公報（油圧配管支持装置）
【特許文献３】特開平０５−１９３８９７号公報（配管固定用クランプ）
【特許文献４】特開平０９−０３２９７３号公報（電気配線取付構造）
【特許文献５】特開２００２−３０８５８８号公報（ケーブル又はホースを把持するクランプ）
【発明の概要】
【発明が解決しようとする課題】
【０００４】
本発明は、上記従来の問題に鑑み、産業車両又は建設車両の電気配線及び油圧配管の取り付け作業を容易にするとともに油圧配管の油が電気配線や電装品に付着することを防止して出火のリスクを軽減し得る、電装品、電気配線及び油圧配管の固定具を提供することを主たる目的とする。
【課題を解決するための手段】
【０００５】
上記目的を達成するため、本発明に係る産業車両又は建設車両の電装品、電気配線及び油圧配管の固定具は、産業車両又は建設車両の一対の車体フレームに懸架して固定するための懸架プレートと、該懸架プレートに取り外し可能に立設固定される立設プレートとを有し、
前記懸架プレートは、電気配線を載置するために帯状に延びる載置上面と、該載置上面の両端に設けられて産業車両又は建設車両の車体フレームに固定するための螺子孔が形成された固定端部と、前記載置上面と反対側の下面に設けられて油圧配管を支持する支持具を取り付けるための支持具取付部と、前記載置上面の幅方向の少なくとも一方の長手方向縁部に沿って起立状に延び載置上面に載置される電気配線の長手方向側面部をガイドするガイドプレート部と、を備え、
前記立設プレートは、電装品を固定するための電装品固定面と、該電装品固定面から前記載置上面を幅方向に跨ぐようにして延びて前記懸架プレートに固定される複数の足片と、を備えることを特徴とする。
【０００６】
該ガイドプレート部に雄螺子部が外向きに突設され、前記複数の足片の少なくとも何れかの足片の下端部に前記雄螺子部に係合可能な係合凹部が形成されていることが好ましい。
【０００７】
前記電装品固定面が、前記載置上面に載置される電気配線を、前記載置面の幅方向の少なくとも一方側に沿ってガイドするガイド面を更に有していても良い。
【発明の効果】
【０００８】
本発明に係る産業車両又は建設車両の電装品、電気配線及び油圧配管の固定具によれば、車体フレームに懸架した懸架プレートの下面に油圧配管を沿わせて固定し、電気配線は懸架プレートの上面に載置するだけでよく、立設プレートを取り付ければ電気配線の脱落も防止できるので、電気配線及び油圧配管の取り付け作業が簡単になるとともに、懸架プレートの上面に電気配線が配置され、懸架プレートの下面に油圧配管が配置されるので、油圧配管から漏れ出た油が電気配線や電装品に付着することがないため出火リスクを低減することができる。
【０００９】
また、ガイドプレート部に雄螺子部を外向きに突設し、複数の足片の少なくとも何れかの足片の下端部に前記雄螺子部に係合可能な係合凹部を形成すれば、立設プレートの懸架プレートへの取り付けがいっそう容易になる。
【００１０】
前記電装品固定面に、前記載置上面に載置される電気配線の幅方向の少なくとも一方の長手方向側面をガイドするガイド面を設けることにより、足片と協働して、電気配線の脱落を確実に防止することができる。
【図面の簡単な説明】
【００１１】
【図１】本発明に係る固定具の一実施形態を示す分解斜視図である。
【図２】図１の固定具を示す斜視図である。
【図３】図２の固定具を裏側から視た斜視図である。
【図４】図２の固定具を底側から視た斜視図である。
【発明を実施するための形態】
【００１２】
本発明を実施するための形態を、図１〜図４を参照して以下に説明する。なお、全図を通して同符号は同様の構成部分を示す。
【００１３】
本発明に係る産業車両又は建設車両の電装品、電気配線及び油圧配管の固定具１は、産業車両又は建設車両の一対の車体フレームＦ（図２〜４参照）に懸架して固定するための懸架プレート２と、懸架プレート２に取り外し可能に立設固定される立設プレート３とを有している。
【００１４】
懸架プレート２は、電気配線Ｃを載置するための帯状に延びる載置上面２ａと、載置上面２ａの両端に設けられて産業車両又は建設車両の車体フレームＦ、Ｆに固定するための螺子孔２ｂが形成された固定端部２ｃと、載置上面２ａと反対側の下面に設けられて油圧配管Ｐを支持する支持具４（図４参照）を取り付けるための支持具取付部２ｄ（図４参照）と、載置上面２ａの幅方向の長手方向縁部に沿って起立状に延びて載置上面２ａに載置される電気配線Ｃの長手方向側面部をガイドするガイドプレート部２ｅと、を備えている。懸架プレート２は、所定形状に切り出された一枚の金属板を折り曲げ加工して形成することができる。
【００１５】
懸架プレート２の固定端部２ｃ、２ｃは、車体フレームＦ、Ｆに溶接等されたブラケットＦｂ、Ｆｂに螺子留めにより固定することができ、車体フレームＦ、Ｆ間に懸架される（図２参照）。
【００１６】
懸架プレート２の下面に設けられた支持具取付部２ｄは、支持具４を取り付けるためのもので、図示例では、懸架プレート２の下面に固定された筒状のボスである。支持具４は、螺子等で連結されることで下から油圧配管Ｐを受けて支持する機能を有するものであればよく、配管支持金具、配管固定金具、配管用クランプ等と称して管固定用の種々形態のものが市販されており、これらを充てることができる。図示例では、懸架プレート２の下面に沿って配置される油圧配管Ｐに支持具４をあてがい、支持具４に形成されている螺子孔４ａ通した留め螺子（図示せず。）を支持具取付部２ｄに螺入し、支持具４で油圧配管Ｐを支持させる。なお、支持具取付部２ｄは、支持具４を取り付けることができる機能を有しておればよく、図示しないが、雌螺子が形成された螺子孔、或いは雌螺子の形成されていないボルト穴を、懸架プレート２に形成することによって構成することもできるし、或いは、雄螺子を固定しておくことによって構成することもできる。
【００１７】
ガイドプレート部２ｅは、曲げ形成によって載置上面２ａと一体的に形成することができる。図示例のガイドプレート部２ｅは、載置上面２ａの幅方向の一方側にのみ形成されているが、両側に形成することもできる。ガイドプレート部２ｅの高さ寸法は、載置上面２ａに載置される電気配線Ｃが載置上面２ａからずれ落ちない程度の高さ寸法とすることができる。ガイドプレート部２ｅに形成されている切り欠き部２ｆは、電気配線Ｃからの分岐配線等を通すことができる他、埃や水滴の堆積の防止する機能も有している。
【００１８】
ガイドプレート部２ｅには、雄螺子部７が外向きに突設されている。雄螺子部７はガイドプレート部２ｅに溶着して突設させることもできるが、図示例のように、ガイドプレート部２ｅに通孔を形成して該通孔に雄螺子を通すことによって突設させても良い。雄螺子部７にはナット８（図１参照）が螺入される。
【００１９】
立設プレート３は、リレーボックスやコントロールユニット等の電子製品の電装品９、１０、１１（図２参照）を固定するための電装品固定面３ａと、電装品固定面３ａから載置上面２ａを幅方向に跨ぐようにして延びて懸架プレート２に固定される複数の足片１２ａ、１２ｂ、１２ｃと、を備えている。立設プレート３は、所定形状に切り出された一枚の金属板を折り曲げ加工して形成することができる。電装品固定面３ａには、電装品９〜１１を螺子留めするためのボスが形成されている。これらの電装品９〜１０は立設面（鉛直面）に固定する方が埃の堆積が少ないため好ましい。
【００２０】
足片１２ａ、１２ｂの下端部には、雄螺子部７に係合可能な係合凹部１３が形成されている。載置上面２ａを挟んで足片１２ａ、１２ｂと反対側に延びる足片１２ｃは、下端が折り曲げられて載置上面２ａに面接触して載置可能な載置片１４が形成され、足片１２ｃを懸架プレート２に固定するための固定用螺子（図示せず。）を通す通孔１４ａが載置片１４に形成されている。図示例では、載置上面２ａの幅方向一方側にのみ係合凹部１３を有する足片１２ａ、１２ｂを形成し、載置上面２ａの幅方向他方側にのみ載置片１４を有する足片１２ｃを形成しているが、これに限らず、懸架プレート２の幅方向両側にガイドプレート部２ｅを設けた場合には、係合凹部１３が形成された足片を懸架プレート２の幅方向両側に延びるように設けて、両側のガイドプレート部（２ｅ）の雄螺子部（図示せず）に係合させるようにしてもよいし、載置片１４を形成した足片を載置上面２ａの幅方向両側に延びるように設けても良い。また、図示しないが、全ての足片を係合凹部１３が形成された足片とすることもできるし、或いは、全ての足片を載置片が形成された足片とすることもできる。
【００２１】
電装品固定面３ａは、載置上面２ａに載置される電気配線Ｃを、載置上面２ａの幅方向一方側に沿ってガイドするガイド面３ｂを備えることができる。このガイド面３ｂは、電装品固定面３ａの下部を懸架プレート２にまで伸ばすことによって形成されている。図示例のガイド面３ｂは、懸架プレート２の幅方向一方側にのみ配置されるように形成されているが、懸架プレート２の幅方向両側に配置されるように形成することもできる。
【００２２】
上記構成を有する固定具１の使用方法及び固定具１を用いた固定構造を次に説明する。
【００２３】
油圧配管Ｐは、懸架プレート２の下面に這わせて、支持具４で支持させておくことができる。そして、懸架プレート２を車体フレームＦ、ＦのブラケットＦｂ、Ｆｂに架け渡し、懸架プレート２の固定端部２ｃ、２ｃを、ボルト・ナットを用いてブラケットＦｂ、Ｆｂに固定する。油圧配管Ｐを予め懸架プレート２に取り付けておけば、車体フレームＦ，Ｆに懸架プレート２を固定してから油圧配管Ｐを通していく必要がないため、作業性が良い。一方、予め電装品９〜１１が固定螺子等で固定された立設プレート３を、電装品９〜１１から延びる電気ケーブルｃ１、ｃ２等（図２参照）が束ねられた電気配線Ｃを接続された状態で、懸架プレート２上に運び、電気配線Ｃを懸架プレート２の載置上面２ａのその長手方向に沿って載置するとともに、足片１２ａ、１２ｂと足片１２ｃとを、懸架プレート２上に載置した電気配線Ｃを跨ぐようにして懸架プレート２に螺子留めにより固定する。
【００２４】
懸架プレート２にはガイドプレート部２ｅが形成されているため、電気配線Ｃを懸架プレート２上に載置した際に電気配線Ｃが脱落しにくくなっている。また、足片１２ａ、１２ｂと足片１２ｃとが電気配線Ｃを跨ぐように固定されるため、電気配線Ｃは、懸架プレート２上に固定していなくても、懸架プレート２上に載置するだけで、脱落を防止することができる。また、ガイド面３ｂでも電気配線Ｃをその長手方向に沿ってガイドすることで、電気配線Ｃを懸架プレート２上で更に安定させる。
【００２５】
足片１２ａ、１２ｂは、其々の下端部に形成された係合凹部１３をガイドプレート部２ｅから外向きに突出する雄螺子部７に上方から嵌め込むようにして係合させるようにしているので、取り付けが容易であり、ナット８で固定する前であっても立設プレート３を自立させ易くてしかも倒れにくくするため、立設プレート３を懸架プレート２に固定する作業が行い易い。
【００２６】
また、このようにして固定具１に固定された電装品９〜１１、電気配線Ｃは、懸架プレート２によって油圧配管Ｐと仕切られており、しかも、油圧配管Ｐが電装品９〜１１及び電気配線Ｃの下方に配置されるため径年劣化等によって油圧配管Ｐのジョイント部等から滲み出た油が電装品９〜１１や電気配線Ｃに付着することもないため、火災発生のリスクを低減することができる。
【符号の説明】
【００２７】
１  固定具
２  懸架プレート
２ａ  載置上面
２ｃ  固定端部
２ｄ  支持具取付部
２ｅ  ガイドプレート部
２ｆ  切り欠き部
３  立設プレート
３ａ  電装品固定面
３ｂ  ガイド面
４  支持具
７  雄螺子部
９，１０，１１  電装品
１２ａ、１２ｂ、１２ｃ  足片
１３  係合凹部
Ｃ  電気配線
Ｆ  車体フレーム
Ｐ  油圧配管
【図１】
0005780548.tif 000002
【図２】
0005780548.tif 000003
【図３】
0005780548.tif 000004
【図４】
0005780548.tif 000005